(57)【要約】【課題】  ピン穴にピンを差し込んで積層されたプラスチック袋を上から一枚づつ円滑に開口させて送り出す開口装置を提供する。【解決手段】  本発明による開口装置は、２つのピン穴３の間で袋１の延長部２を押さえるセンタ保持部材１３と、ピン穴３の両外側で延長部２を押さえるサイド保持部材１４を有し、両保持部材１３、１４はそれぞれ、回転軸１８，３８回りの回転部材１７，３７の回転により延長部２に対する押さえを開放するように構成されているとともに、延長部２を押さえるときは回転部材１７，３７が鉛直になって延長部２からの突き上げ力を鉛直方向に死点状態で受け止める構成となっている。両保持部材１３，１４はエアを吹き付けて袋１を開口させるときはサイド保持部材１４を解放させ、開口された袋１を排出するときは残りの袋１をサイド保持部材１４で押さえセンタ保持部材１３を解放させるよう制御装置によって制御される。【選択図】      図１
2007022627.tif 000002
【特許請求の範囲】
【請求項１】
開口部の一縁が延長され、その延長部に設けられた２つのピン穴に上端が開放されたピンを差し込んで積層して保持されたプラスチック袋を、斜め上方からエアを吹き付けて上から一枚づつ開口させるように構成したプラスチック袋の開口装置において、前記２つのピン穴の間で前記延長部を押さえるセンタ保持部材と、前記ピン穴の両外側で前記延長部を押さえるサイド保持部材と、前記エアを吹き付けて袋を開口させるときは前記サイド保持部材を開放させ、開口された袋を排出するときは前記積層された残りの袋を前記サイド保持部材で押さえ前記センタ保持部材を開放させるよう前記センタ保持部材と前記サイド保持部材の作動を制御する制御装置とを有し、前記センタ保持部材及び前記サイド保持部材はそれぞれ、回転軸回りの回転レバーの回転により前記延長部に対する押さえと押さえ開放を行なうように構成されているとともに、前記延長部を押さえるときは前記回転レバーが鉛直になって前記延長部からの突き上げ力を鉛直方向に死点状態で受ける構成となっていることを特徴とするプラスチック袋の開口装置。
【請求項２】
前記センタ保持部材及び前記サイド保持部材を作動させる回転レバーを回転させる回転軸がエアシリンダーの伸縮により回転される構成としたことを特徴とする請求項１に記載のプラスチック袋の開口装置。
【請求項３】
前記回転レバーの先端に係合ローラが設けられ、前記回転軸回りの前記回転レバーの回転により同係合ローラが係合する長溝を有する部材を動かして前記センタ保持部材及び前記サイド保持部材の前記押さえ動作及び押さえ開放動作を行なわせる構成としたことを特徴とする請求項２に記載のプラスチック袋の開口装置。
【発明の詳細な説明】
【技術分野】
【０００１】
本発明は、プラスチック袋の開口装置に関し、更に詳しくは、開口部の一縁が延長されて、その延長部に設けた２つのピン穴に、上端が開放されたピンを差し込んで保持されたプラスチック袋を一枚づつ開口させる装置に関する。
【背景技術】
【０００２】
包装用のプラスチック袋に品物を入れて包装する装置においては、積層して保持された袋を一枚づつ開口させることが必要である。包装用袋を積層させておいて、上から一枚づつ開口させてゆく操作をやり易くするため、従来、図８に示すように、開口部０の一縁を延長して延長部２としたプラスチック袋１を形成し、その延長部２に２つのピン穴３を設け、図９のようにそのピン穴３にピン０４を差し込んで積層状態に保持し、この状態のプラスチック袋１を上から一枚づつ開口させて品物を入れてゆくやり方が採用されていた。
【０００３】
図９のようにピン０４がピン穴３に差し込まれて保持された袋を開口させて一枚づつ使用してゆく場合、プラスチック袋１をピン０４から外さなければならない。従来は、ピン穴３にピン０４が差し込まれた状態のまま品物をプラスチック袋１内に入れ、その際の力などを使ってプラスチック袋をピン穴３部分で引きちぎることが行われていた。０５はプラスチック袋１がピン穴３のところで引きちぎられ易いように設けられたミシン目である。
【０００４】
このようにピン穴３部分でちぎったプラスチック袋１にはピン穴３部分に破損片が残って包装品の外観を損ねることから、本出願人は、先に図１０のように上端が開放されたピン４にプラスチック袋１の穴を差し込んで保持し、そのプラスチック袋１の開口部０に斜め上方からエアを吹いて袋を開口させ、そこに開口部材を挿入して開口を拡げることによって袋を開口させるときに穴３のところでちぎることなくプラスチック袋１の穴をピン４から抜き出させて袋を開口させるようにしたやり方を提案した（特開２０００−２５５５１４、特開２００３−１１９２０）。
【０００５】
この新しい開口のやり方では、ピン穴３にピン０４が差し込まれて積層状態にあるプラスチック袋１の上面を常に一定レベルに乱れなく保持して置くことが必要である。特に、開口させた一番上の袋の送り出しによって、残された積層プラスチック袋１の積層状態が乱されて袋の位置がずれて開口操作に支障を来すことがないように、積層状態を正確に保持させて置いて、袋１のピン穴３がピン０４から円滑に抜け出て行けるようにすることが必要である。
そのため、積層状態の袋１を下方から押し上げて積層された袋１の上面を常に一定レベルに保持することが必要であるが、積層された袋１の消費につれて積層高さが変化しても、下方から押し上げ力が働いている積層袋１を上方で受け止めて一定レベルに保持するとともに、上方のものから１枚ずつ袋が排出されるように押さえを開放する押さえ部材５を確実に作動させることが必要である。
【発明の開示】
【発明が解決しようとする課題】
【０００６】
本発明は、開口部の一縁が延長され、その一縁の延長部に設けられた２つのピン穴に、上端が開放されたピンを差し込んで積層して保持されたプラスチック袋を、斜め上方からエアを吹き付けて上から一枚づつ開口させる場合に、袋を円滑に開口させて、安定して送り出すことができるように下方から押し上げられて来る押し上げ力を受けとめて積層状態の袋の上面を常に一定レベルに保持し、かつ、袋を１枚ずつ確実に送り出せるように袋の上面に対する押さえと押さえの開放とを迅速・正確に行えるように構成したプラスチック袋の開口装置を提供することを課題としている。
【課題を解決するための手段】
【０００７】
本発明は、前記課題を解決するプラスチック袋の開口装置として、開口部の一縁が延長され、その延長部に設けられた２つのピン穴に上端が開放されたピンを差し込んで積層して保持されたプラスチック袋を、斜め上方からエアを吹き付けて上から一枚づつ開口させるように構成したプラスチック袋の開口装置において、前記２つのピン穴の間で前記延長部を押さえるセンタ保持部材と、前記ピン穴の両外側で前記延長部を押さえるサイド保持部材と、前記エアを吹き付けて袋を開口させるときは前記サイド保持部材を開放させ、開口された袋を排出するときは前記積層された残りの袋を前記サイド保持部材で押さえ前記センタ保持部材を開放させるよう前記センタ保持部材と前記サイド保持部材の作動を制御する制御装置とを有し、前記センタ保持部材及び前記サイド保持部材はそれぞれ、回転軸回りの回転レバーの回転により前記延長部に対する押さえと押さえ開放を行なうように構成されているとともに、前記延長部を押さえるときは前記回転レバーが鉛直になって前記延長部からの突き上げ力を鉛直方向に死点状態で受け止める構成となっているプラスチック袋の開口装置を提供する。
【発明の効果】
【０００８】
本発明による袋の開口装置においては、開口部の縁の延長部を２つのピン穴の間でセンタ保持部材により押さえて袋の開口部に向け斜め上方からエアを吹き付けるので袋は積み重ね位置に保持されたまま部分的に開口され、このとき袋のピン穴はピンから抜け出る。
こうして形成された開口部に、上下右左方向などに拡張する開口部材を挿入して開口部を拡張させると、袋の延長された下側の一縁の延長部はピン穴の中間でセンタ保持部材によって押えられている部分を除いて上方に持ち上げられ、これによってピンから抜け出ていないピン穴も上端が開放されたピンから抜ける。
【０００９】
以上のようにしてプラスチック袋はピン穴のところで引きちぎられずにピンから外れて開口部を拡張され、包装すべき品物を受け入れできる状態になる。このようにして開口された袋には、従来のもののようなピン穴部近辺に引きちぎった破片が生じておらず、外観が優れた包装品を生産できる。以上のように袋が開口されたあと、開口された袋の下に積層されている袋は、その一縁の延長部をピン穴の両外側でサイド保持部材によって押されて保持されるので、開口された袋を排出するときにセンタ保持部材を開放しても積層された袋はサイド保持部材で押さえられ、その積層状態を乱すことがない。
【００１０】
しかも、本発明の開口装置におけるセンタ保持部材とサイド保持部材は、それぞれ、回転レバーが鉛直になって前記延長部からの突き上げ力を鉛直方向に死点状態で受け止める構成となっているため、積層された袋を下方から押し上げる力を固く受け止めて袋の上面を常に一定レベルに保持し、積層された袋に対する押さえを開放するときは回転レバーを回転軸回りに回転させるだけでよく、袋の開口動作を円滑に行なうことができる。特に、積層された袋を押さえるときは前記回転レバーが鉛直になって下方からの突き上げ力を鉛直方向に死点状態で受け止める構成となっていることにより袋の積層高さが変化したり、下方からの押し上げ力が変化しても袋の上面をしっかりと受けとめて積層された袋の上面を常に一定レベルに保持することができる。
【００１１】
このように、積層された袋の上面には、センタ保持部材及びサイド保持部材の少なくともいずれか一方が常に当接された状態になっていて、下方から押し上げられている積層された袋の上面をしっかりと受け止めて、その上面を常に一定の高さレベルに保持し、本発明の開口装置によれば、積層されたプラスチック袋を上から一枚づつ安定した状態で開口させてゆくことができる。
【００１２】
前記した本発明の袋開口装置において、前記センタ保持部材及びサイド保持部材を作動させる回転レバーを回転させる回転軸がエアシリンダーの伸縮により回転される構成にすると、回転レバーが鉛直方向に死点状態となって下方からの押し上げ力を受け止める状態と、回転レバーが回転軸回りに回転されて袋開口部における延長部への押さえを開放する状態との切り換えを容易、迅速、確実に行なうことができる袋開口装置となる。
また、前記回転レバーの先端に係合ローラを設け、回転レバーが前記回転軸回りに回転されることにより同係合ローラが係合する長溝を有する部材を動かして前記センタ保持部材及び前記サイド保持部材の前記押さえ動作及び押さえ開放動作を行なわせる構成とすれば、回転レバーの回転により前記センタ保持部材及びサイド保持部材を容易に作動させて袋の開口動作を円滑に行なわせるプラスチック袋の開口装置となる。
【発明を実施するための最良の形態】
【００１３】
以下、本発明によるプラスチック袋の開口装置について図１〜図３に示した実施の形態に基づいて具体的に説明する。図１〜図３において、１は包装用プラスチック袋で、開口部０以外は閉じられている。開口部０の一縁、すなわち、図では下の縁が延長され、その延長部２には互いに間隔を保った２個のピン穴３が形成されている。
このように形成されたプラスチック袋１は積層されて、上方が開放された２本のピン４にそのピン穴３が挿し込まれて保持されている。積層されたプラスチック袋１は、そのピン穴３の間で延長部２がセンタ保持部材１３で押さえられる。また、積層されたプラスチック袋１の延長部２はピン穴３の外側で縁をサイド保持部材１４で押さえられる。
【００１４】
積層されたプラスチック袋１は、エアシリンダ等によって下方から所定圧で押し上げられており、その押し上げ力をセンタ保持部材１３とサイド保持部材１４で受けて、積層されたプラスチック袋１の上面は常に同じレベルに保たれるように構成されている。積層されたプラスチック袋１をエアシリンダ等によって下方から所定圧で押し上げて積層高さの変化に関わらず常に水平状態に保つには公知の構成を適宜採用してよく、その一例が特開２００２−２０５１０に示されている。
プラスチック袋を前記したように積層状態で保持させたのち、サイド保持部材１４による押さえを開放してプラスチック袋の開口部０に向けて斜め上方からエアノズル６でエア７を吹き付けると、一番上の袋の開口部０は、図２の実線８のように開口される。
【００１５】
エアノズル６から吹き付けられるエア７は、温度５０〜８０°Ｃの熱風として開口される袋１の温度を上げて、その柔軟性を高めることによって袋１内に品物を充てんするときに、その品物の角部などで袋が裂けるのを防ぐことができて好ましいがこれに限定されない。このエアの具体的温度は、使用する袋の材質、厚さ、充填される品物の形状や固さ等を考慮して適切に選定する。こうしてエアノズル６からのエア７によって形成された開口に対して開口部材９が挿入される。開口部材９は、互いの間隔を拡縮可能な下方のバー１０（２本）と上方のバー１１（２本）の４本のバーを有している。
【００１６】
開口部材９は、袋１の開口内に挿入されたあと、上方のバー１１が上方に変位され、袋の開口を仮想線１２で示すように拡げる。エア７による袋の部分的開口動作又は、開口部材９による開口の拡張動作によって、ピン４が挿入されていたピン穴３は、上端が開放されているピン４から抜け出され、このとき、延長部２はピン穴３のところで破られることはない。
このように、サイド保持部材１４による押さえが開放されても積層されたプラスチック袋１の上面は、センタ保持部材１３によって下方からの押し上げ力が受けられ、プラスチック袋１の上面は常に同じ高さに維持されるようになっている。一番上の袋がピン４から抜けたあと、開口された袋の下に積層されている袋はサイド保持部材１４により図３のように保持される。
【００１７】
次に、センタ保持部材１３及びサイド保持部材１４の構成について図４から図７によって説明する。
まず、図４及び図５に示すセンタ保持部材１３について説明する。センタ保持部材１３は枢着軸１５の回りに回転自在に取り付けられており、長溝１６が設けられている。１７は本発明に言う回転レバーを構成する回転部材で、回転軸１８回りに回転可能に取り付けられている。回転部材１７には係合ローラ１９が回転自在に取り付けされており、その係合ローラ１９はセンタ保持部材１３の長溝１６に嵌っていて、長溝１６に沿って転動自在となっている。
回転部材１７が回転自在に取り付けられている回転軸１８にはレバー２０が取り付けられており、このレバー２０はエアシリンダ２１のピストンロッド２２の上端に枢着されている。
【００１８】
この構成によって、エアシリンダ２１のピストンが伸張されるとレバー２０を介して回転軸１８が廻されて回転部材１７が回転軸１８の軸心回りに回転され、係合ローラ１９が長溝１６に沿って変位しセンタ保持部材１３が枢着軸１５の回りに時計回りに回転されピン４に差し込まれた積層状態の袋１を押さえている図４の位置から図５の開放位置に変わる。
一方、センタ保持部材１３が積層状態の袋１を押さえている図４の状態となっているときは、回転部材１７は、係合ローラ１９と回転軸１８を結ぶ線が鉛直になっていて、センタ保持部材１３から係合ローラ１９に対して下向きの押し付け力が働いても、その力は鉛直下方の回転軸１８上に働くのみで回転部材１７を回転させる力とならず、回転部材１７は死点状態となっている。なお、図４、図５において２３は積層状態の袋１を常時上方に押し上げるエアシリンダを示しており、このエアシリンダ２３の押し上げ力はセンタ保持部材１３で受けられて袋１の上面が一定レベルに保持されるようになっている。
【００１９】
次に、サイド保持部材１４の構成を図６、図７によって説明する。図６、図７において、サイド保持部材１４には、下方に伸びたレバー３１が取り付けられており、レバー３１には摺動部材３２がボルト３３によって取り付けられ、この摺動部材３２は上下に移動可能に支柱３０の溝３４に嵌め合わされて支持されている。
レバー３１の下端には受け部材３５が取り付けられており、受け部材３５には水平方向に伸びた長溝３６が形成されている。３７は本発明にいう回転レバーを構成する回転部材でその上端側が、エアシリンダに連結された回転軸３８に取り付けられ、一方、下端側には係合ローラ３９が回転自在に支持されている。
回転部材３７の下端に支持されている係合ローラ３９は受け部材３５の長溝３６に嵌められていて、回転部材３７が回転軸３８の軸心回りに回転されると係合ローラ３９を介して受け部材３５が上下方向に変位される構成となっている。
【００２０】
サイド保持部材１４が図６の位置にあって積層状態の袋１を押さえているときは、回転部材３７は、係合ローラ３９と回転軸３８を結ぶ線が鉛直になっていて、サイド保持部材１４から受け部材３５を介して係合ローラ３９に対して上向きの押し付け力が働いても、その力は鉛直な回転部材３７を介して上方の回転軸３８に鉛直に働くのみで鉛直となって死点状態になっている回転部材３７を回転させる力とならない。なお、図５で４０はエアシリンダで、このエアシリンダは積層状態の袋１を常時上方に押し上げる。その押し上げ力はセンタ保持部材１３とサイド保持部材１４で受けられて袋１の上面が一定レベルに保持されるようになっている。
図６において、回転部材３７が回転軸３８の軸心回りに時計回りに回転されると受け部材３５が上方に変位され、サイド受け部材１４は図７に示すように積層された袋に対する押さえを開放する状態となる。
なお、回転部材３７は、センタ保持部材１３における回転部材１７と同様、適宜のエアシリンダ（図示していない）によって回転軸３８が回転されることによって、回転軸３８の軸心回りに回転される。
【００２１】
図３に戻って、前記したように袋１が開口部材９の下方のバー１０と上方のバー１１の間の間隔が互いに広げられることによって最大限に開口されたあと、包装すべき品物がその開口から袋内に充填される。なお、袋１内への品物の充填前、充填動作中、又は充填後の適宜のときにセンタ保持部材１３の押しつけ力を弱め、開口された一番上の袋１を積層状態から開放するようにしてもよい。
品物が充填された袋１が排出されるときはセンタ保持部材１３は袋１の縁を開放する。センタ保持部材１３が袋の押さえを開放しても、その下の積層された袋１の縁の延長部２はピン４の両外側においてサイド保持部材１４で押されていて袋１の積層状態が整然と保持されるとともに、積層されたプラスチック袋１に対する下方からの押し上げ力が前記したように死点状態にあるサイド保持部材１４で受けられ、プラスチック袋１の上面は一定の高さに保持される。また、開口部材９としては、袋１の開口内に差し込まれ、その開口を上下方向、左右方向、又は上下左右方向に拡げるように構成したものを、開口すべき袋の形状や大きさなどに応じて適宜選択して用いてよい。
【００２２】
以上、本発明を図示した実施形態に基づいて具体的に説明したが、本発明がこれらの実施形態に限定されず特許請求の範囲に示す本発明の範囲内で、その具体的構造、構成に種々の変更を加えてよいことはいうまでもない。
例えば、上記実施形態では、開口部材９として、上方のバー１１が真直ぐ上方に変位して袋の開口を拡げる構成のものを図３に示して説明したが、４本のバーがそれぞれ４５°づつ斜上方と斜下方に変位して開口を拡張するような構成の開口部材を使用してもよく、要は、この種の開口拡張部材として公知のものを適宜採用してよい。
【００２３】
また、上記実施形態では、回転レバーとしての回転部材１７、３７に係合ローラ１９，３９を取り付け、これを長溝１６、３６に嵌め合わせた構造にして、回転部材１７，３７の回転でセンタ保持部材１３とサイド保持部材１４における袋１の押し付けと、押し付け開放を行なわせ、回転軸１８、３８と係合ローラ１９，３９を結ぶ線が鉛直になって回転部材１７、３７に死点状態を形成させるようにしているが、これに限らず、要は、センタ保持部材及びサイド保持部材がそれぞれ、回転軸回りの回転部材の回転によって、袋１の延長部２に対する押さえを開放するように構成されているとともに、袋１の延長部２を押さえるときは回転部材が鉛直になって延長部２からの突き上げ力を鉛直方向に死点状態で受け止める構成となっていれば図示したもの以外の適宜の構造であってよい。
【図面の簡単な説明】
【００２４】
【図１】本発明による開口装置に積層されたプラスチック袋を開口すべく設置した状態を示す平面図。
【図２】図１に示したプラスチック袋に対し本発明の開口装置によって開口動作を行なっている状態を示す説明図。
【図３】図２のＡ矢視側面図。
【図４】図１に示した開口装置におけるセンタ保持部材の構造を示す側面図で、積層された袋を押さえている状態を示している。
【図５】図４に示したセンタ保持部材と同様の側面図で、積層された袋の押さえを開放している状態を示している。
【図６】図１に示した開口装置におけるサイド保持部材の構造を示す側面図で、積層された袋を押さえている状態を示している。
【図７】図６に示したサイド保持部材と同様の側面図で、積層された袋の押さえを開放している状態を示している。
【図８】図１に示した袋の断面図。
【図９】従来の袋開口装置における積層された袋のピンによる保持状態を示している説明図。
【図１０】従来の袋開口装置において、上端が開放されたピンに積層された袋を保持して開口を行なわせている状態を示している説明図。
【符号の説明】
【００２５】
０    開口部
１    プラスチック袋
２    延長部
３    ピン穴
４    ピン
５    押さえ部材
６    エアノズル
７    エア
９    開口部材
１０  下方のバー
１１  上方のバー
１２  袋の開口を示す仮想線
１３  センタ保持部材
１４  サイド保持部材
１５  枢着軸
１６  長溝
１７  回転部材
１８  回転軸
１９  係合ローラ
２０  レバー
２１  エアシリンダ
２２  ピストンロッド
２３  エアシリンダ
３０  支柱
３１  レバー
３２  摺動部材
３３  ボルト
３４  溝
３５  受け部材
３６  長溝
３７  回転部材
３８  回転軸
３９  係合ローラ
４０  エアシリンダ
【図１】
2007022627.tif 000003
【図２】
2007022627.tif 000004
【図３】
2007022627.tif 000005
【図４】
2007022627.tif 000006
【図５】
2007022627.tif 000007
【図６】
2007022627.tif 000008
【図７】
2007022627.tif 000009
【図８】
2007022627.tif 000010
【図９】
2007022627.tif 000011
【図１０】
2007022627.tif 000012